(57)【要約】【課題】  本発明は、鉄損を有する二重三相巻線永久磁石同期形電動機に対し、定格速度以上の高速域でも、模擬、特性解析、制御への利用が可能な数学モデルを提供する。さらには、同数学モデルを用いた、同電動機のための模擬装置、あるいは特性解析装置、あるいは制御装置を提供する。【解決手段】  数学モデルが、電動機が発生する鉄損を等価的に模擬する等価鉄損抵抗を備え、かつ、同等価鉄損抵抗による電圧低下と電動機の固定子鎖交磁束の主成分による電圧低下とが概ね等しくなるように、同等価鉄損抵抗を備えるようにし、課題を解決した。【選択図】図５
2019004677.tif 000002
【特許請求の範囲】
【請求項１】
永久磁石を有する回転子と２個の三相巻線（第１三相巻線と第２三相巻線）を有する固定子とからなる永久磁石同期形電動機の模擬、あるいは特性解析、あるいは制御のための数学モデルであって、
永久磁石同期形電動機が発生する鉄損を等価的に模擬する等価鉄損抵抗を備え、
かつ、同等価鉄損抵抗による電圧低下と永久磁石同期形電動機の固定子鎖交磁束の主成分による電圧低下とが概ね等しくなるように、同等価鉄損抵抗を備えるようにしたことを特徴とする
永久磁石同期形電動機の模擬、あるいは特性解析、あるいは制御のための数学モデル。
【請求項２】
微分演算子を「ｓ」とし、該回転子の電気速度を「ωｎ」とし、
該回転子永久磁石のＮ極の位相をｄ軸の位相とし、ｄ軸に対してπ／２［ｒａｄ］の位相進みにｑ軸をもつ２軸直交座標系をｄｑ同期座標系とし、
該第１巻線と該第２巻線との間のｄ軸相互インダクタンスを「Ｍｄ」とし、ｑ軸相互インダクタンスを「Ｍｑ」とし、等価鉄損抵抗を「Ｒｃ」とし、
ｄｑ同期座標系上における、該第１巻線の電流を「ｉ１」とし、該第２巻線の電流を「ｉ２」とし、相互インダクタスに等価的に流れ込む等価負荷電流を「ｉＭ」とし、等価鉄損抵抗に等価的に流れ込む等価鉄損電流を「ｉｃ」とし、相互インダクタスに等価的に鎖交する回転子磁束を「φＭ」とするとき、
該数学モデルが、ｄｑ同期座標系上での評価において次式を満たすように、
2019004677.tif 000028
該等価鉄損抵抗を備えることを特徴とする請求項１記載の永久磁石同期形電動機の模擬、あるいは特性解析、あるいは制御のための数学モデル。
【請求項３】
永久磁石を有する回転子と２個の三相巻線（第１三相巻線と第２三相巻線）を有する固定子とからなる永久磁石同期形電動機のための数学モデル立脚形の模擬装置、あるいは特性解析装置、あるいは制御装置であって、
立脚の該数学モデルに、
永久磁石同期形電動機の発生する鉄損を等価的に模擬する等価鉄損抵抗を備えさせ、
かつ、同等価鉄損抵抗による電圧低下と永久磁石同期形電動機の固定子鎖交磁束の主成分による電圧低下とが概ね等しくなるように、同等価鉄損抵抗を備えさせるようにしたことを特徴とする
永久磁石同期形電動機のための数学モデル立脚形の模擬装置、あるいは特性解析装置、あるいは制御装置。
【発明の詳細な説明】
【技術分野】
【０００１】本発明は、永久磁石を有する回転子と２個の三相巻線（第１三相巻線と第２三相巻線）を有する固定子とからなる二重三相巻線永久磁石同期形電動機の数学モデル、および同モデルに立脚した模擬装置、特性解析装置、制御装置に関する。【０００２】以降の説明では、簡単のため、「巻線」を「三相巻線」と同義で使用する。上記の二重三相巻線永久磁石同期形電動機を、簡単のため、二重同期電動機と略称する。【０００３】本発明では、二重同期電動機において三相巻線が施された部分を「固定子」と呼称する。本発明における「固定子」は、「電機子」と同義である。固定子に施される三相巻線には、Ｙ形とΔ形が存在する。当業者には周知のように、三相端子から評価した場合、Ｙ形巻線による特性とΔ形巻線による特性は互いに等価変換される。説明の簡明性を確保すべく、本明細書における技術説明は、Ｙ形結線を想定して行なう。等価変換の存在より明白なように、これにより、本発明の一般性を失うことなない。【０００４】本発明では、２次元平面を極座標的に捉え、角度、空間的位置、空間的位相の３用語を同義で使用する。これらの単位は「ラジアン（ｒａｄ）」または「度（ｄｅｇｒｅｅ）」である。本発明における角度、空間的位置、空間的位相の正方向は、左周り（反時計周り）、右周り（時計周り）のいずれに定義してもよい。ただし、本明細書では、説明の簡明性を維持すべく、角度、空間的位置、空間的位相の正方向は左周り（反時計周り）と定義し、本発明を説明する。これにより、本発明の一般性を失うことはない。【０００５】本発明では、原則として、第１巻線、第２巻線に関連したパラメータ、物理量等を各々脚符１、２を付してこれを明示する。また、原則として、ｄ軸、ｑ軸の直交２軸からなるｄｑ同期座標系（図４を用いて後に詳細説明）において、各軸と関連したパラメータ、物理量等には、脚符ｄ、ｑを付して各軸との関係を明示する。
【背景技術】
【０００６】本発明の対象とする二重同期電動機の数学モデルに関する先行発明、同数学モデルに立脚した模擬装置、特性解析装置、制御装置としては、例えば、特許文献１、非特許文献１〜６がある。先行発明の二重同期電動機は、固定子の二重三相巻線の配置の観点から、三相単純同期電動機（特許文献１、非特許文献１）、六相同期電動機（非特許文献２〜４）、三相逆同期電動機（非特許文献５〜６）の３種に概略ながら大別される。【０００７】非特許文献１を参考に、先行発明の二重同期電動機（三相単純同期電動機）の概要を、極対数ＮｐをＮｐ＝１とした場合を例に、図１に示した。１は二重同期電動機（回転子、固定子を含む）を、１１は二重同期電動機の回転子を、１２１は二重同期電動機の固定子の第１巻線を、１２２は二重同期電動機の固定子の第２巻線を、各々示している。同図では、固定子の第１巻線と第２巻線との区別の明瞭化を図るべく、第１巻線は実線で、第２巻線は破線で表示している。また、第２巻線が、巻線配置上第１巻線と重なるため、描画上の重複を回避すべく、第２巻線を意図的に右にシフトして描画している。【０００８】本配置による二重同期電動機（三相単純同期電動機）は、以下の特徴を有する。（ａ）第１巻線、第２巻線とも、ｕ相巻線、ｖ相巻線、ｗ相巻線は、１極対数を基準とした空間において、順次２π／３［ｒａｄ］の空間的位相進みの位置に配置されている。（ｂ）原理的には、第１巻線と第２巻線は、空間上で位相差なく配置されている。（ｃ）原理的には、極対数は任意の整数を取りうる。すなわち、奇数または偶数の極対数が採用可能である。（ｄ）第１巻線と第２巻線に同時通電する場合も、いずれか一方の巻線のみに通電する場合も、相数は三相のまま不変である。（ｅ）原理的には、第１巻線と第２巻線との同時通電の場合には、第１巻線と第２巻線の電流は位相差のない同期が必要である。【０００９】二重同期電動機の固定子巻線配置の第２例（六相同期電動機の例）として、非特許文献２〜４を参考に、極対数ＮｐをＮｐ＝１とした場合を例に、図２に、回転子とともに概略的に示した（巻線抵抗の描画は省略）。引き線番号１、１１、１２１、１２２の意味は、図１と同一である。ただし、第２巻線の配置を第１巻線に対して、１極対数を基準とした空間において、空間的にθ１２＝π／６［ｒａｄ］シフトしている点が図１の例と異なっている。【００１０】本配置による二重同期電動機（六相同期電動機）は、三相単純同期電動機（図１）に比較し、以下の特徴を有する。（ａ）例１の（ａ）項と同様。（ｂ）原理的には、第１巻線と第２巻線は、１極対数を基準とした空間において、π／６［ｒａｄ］の空間的位相差をもつように配置されている。（ｃ）例１の（ｃ）項と同様。（ｄ）第１巻線と第２巻線に同時通電する場合は、六相電動機として動作し、いずれか一方の巻線のみに通電する場合には三相電動機として動作する。（ｅ）原理的には、第１巻線と第２巻線との同時通電の場合には、第１巻線と第２巻線との電流は、空間位相差に対応した位相差をもつ同期が必要である。【００１１】二重同期電動機の固定子巻線配置の第３例（三相逆同期電動機の例）として、非特許文献５〜６を参考に、極対数ＮｐをＮｐ＝２とした���合の例を図３に、回転子とともに概略的に示した（巻線抵抗の描画は省略）。引き線番号１、１１、１２１、１２２の意味は、図１と同一である。【００１２】本巻線配置による二重同期電動機（三相逆同期電動機）は、例１、例２に比較し、以下の特徴を有する。（ａ）第１巻線、第２巻線とも、ｕ相巻線、ｖ相巻線、ｗ相巻線は、２極対数を基準とした空間において、順次２π／３［ｒａｄ］の空間的位相遅れの位置に配置されている。（ｂ）原理的には、第１巻線と第２巻線は、２極対数を基準とした空間において、±π［ｒａｄ］の位相差をもつように配置されている。（ｃ）極対数は偶数のみ取りうる。すなわち、奇数の極対数は採用できない。（ｄ）例１の（ｄ）項と同様。（ｅ）例１の（ｅ）項と同様。【００１３】図１〜図３に例示した二重同期電動機においては、第１巻線と第２巻線は必ずしも同一特性をもつように構成される必要はない。両巻線は、特許文献１及び非特許文献１〜５に示されているように同一特性をもつように構成することも、また、非特許文献６に示されているように互いに異なる特性をもつように構成することも可能である。【００１４】続いて、二重同期電動機を対象した数学モデルに関する先行発明技術を紹介する。数学モデルの説明に際し、数学モデルが定義される座標系を説明する。図４を考える。図４には、αβ固定座標系、ｄｑ同期座標系、γδ一般座標系を示している。αβ固定座標系は固定子に対応した座標系であり、一般に、α軸は、固定子第１巻線のｕ相巻線の中心に取られる（固定子第２巻線のｕ相巻線の中心にとっても本質的相違はない）。ｄｑ同期座標系は回転座標系の１つであり、特に、ｄ軸が回転子のＮ極と同期した座標系となっている。すなわち、ｄｑ同期座標系においては、ｄ軸の位相は回転子磁束の位相と同一である。ｄｑ同期座標系の速度は、回転子速度（電気速度）ωｎと瞬時瞬時において同一である。γδ一般座標系は、任意の座標系速度ωγをもつ一般性に富む座標系である。γδ一般座標系は、特別の場合として、αβ固定座標系、ｄｑ同期座標系を包含している。また、座標系の位相に関しては、α軸からみたｄ軸の位相をθαとし、α軸からみたγ軸の位相をθαγとし、γ軸からみたｄ軸の位相をθγとしている。【００１５】図１〜図３に示した３種の二重同期電動機は、明らかに異なった巻線配置を有する。しかし、これらの数学モデルに関しては、γδ一般座標系、αβ固定座標系、ｄｑ同期座標系のいずれの座標系上でも、同一の数学モデルが共通して利用される。先行発明の数学モデルに関しては、非特許文献６が最も詳細かつ正確に示している。これによれば、先行発明の数学モデル（特に回路方程式（第１基本式））は、ｄｑ同期座標系上では、次式で与えられる。
【数１】
2019004677.tif 000003
【００１６】数学モデルにおける脚符１、２およびｄ、ｑの意味はすでに説明した通りである。記号ｓは微分演算子ｄ／ｄｔを意味している。第１巻線を例に、数学モデルに使用した物理量を説明する。ｄｑ同期座標系上で定義された２×１ベクトルｖ１、ｉ１は、それぞれ固定子の電圧、電流を意味している。Ｒ１は固定子巻線の抵抗であり、Φ１は固定子巻線からみた回転子磁束強度（起電力定数）である。Ｌ１ｄ、Ｌ１ｑは、ｄ軸（自己）インダクタンス、ｑ軸（自己）インダクタンスである。また、Ｍｄ、Ｍｑは、各々、ｄ軸相互インダクタンス、ｑ軸相互インダクタンスである。【００１７】非特許文献６によれば、（１）式の回路方程式（第１基本式）に対応したトルク発生式（第２基本式）は、次式のように構築されている。
【数２】
2019004677.tif 000004
（２ａ）式におけるＮｐは極対数を意味する。また、（２ａ）式に用いられたＬ１ｍ、Ｌ２ｍ、Ｍｍの定義は、（２ｂ）式の通りである。なお、Ｌ１ｍ、Ｌ２ｍは各々第１、第２巻線の鏡相（自己）インダクタスと呼ばれる。Ｍｍは鏡相相互インダクタンスと呼ばれる。【００１８】非特許文献６によれば、（１）式の回路方程式（第１基本式）、（２）式のトルク発生式（第２基本式）に対応したエネルギー伝達式（第３基本式）は、回転子速度（機械速度）ωｍを用い、次式のように構築されている。
【数３】
2019004677.tif 000005
（３ｃ）式は、回転子の速度に関し、電気速度ωｎと機械速度ωｍの関係を示したものでもある。【００１９】（１）式の回路方程式（第１基本式）は、電気回路としての二重同期電動機の動特性を記述したものである。（１）式の関係は、すなわち回路方程式（第１基本式）は、電気速度ωｎで回転するｄｑ同期座標系上の仮想ベクトル回路として、図１０のように描画される。同図における電圧、電流等のすべての物理量は、ｄｑ同期座標系上で定義された２×１ベクトルである。また、同図における２×２インダクタンス行列Ｌ１、Ｌ２、Ｍは、以下のように定義されている。
【数４】
2019004677.tif 000006
【００２０】二重同期電動機は、トルク発生機でもある。（２）式のトルク発生式（第２基本式）は、トルク発生機としての電動機特性を記述したものである。特に（２ａ）式の第２式の右辺第１項はリラクタンストルクを、同第２項はマグネットトルクを意味している。同第１項は、「リラクタンストルクには、各巻線自体によるリラクタンストルクと、第１巻線と第２巻線の相互誘導（磁気的結合）によるリラクタンストルクが存在する」ことも示している。【００２１】二重同期電動機は、電気エネルギーを機械エネルギーへ変換するエネルギー変換機でもある。（３）式のエネルギー伝達式（第３基本式）は、エネルギー変換機としての動特性を記述したものである。エネルギー変換機としての特性を表現したエネルギー伝達式は、（３ａ）式左辺が瞬時入力電力（有効電力）を示し、同式右辺が入力瞬時電力が如何に消耗、蓄積、伝達されるかを示している。（３ａ）式右辺の第１項は第１、第２巻線で発生した銅損を、第２項は第１、第２巻線に蓄積された磁気エネルギーの瞬時変化を、第３項は、回転子から出力される瞬時機械的電力（単位はワット、軸から出力される機械エネルギーの瞬時値）を、おのおの意味している。【００２２】当然のことながら、数学モデルを構成するこれら３基本式は、数学的に整合している。しかしながら、いずれの基本式にも、鉄損への考慮はなされていない。当業者には、周知のように、通常の永久磁石同期電動機においては、速度向上につれ、総合損失に占める鉄損の割合は増加し、定格速度以上の高速域では、鉄損が総合損失における支配的損失となる。このような特性は、二重同期電動機においても同様に見られる。しかしながら、二重同期電動機の先行発明の数学モデルは、鉄損の考慮をしておらず、定格速度以上の高速域では、本電動機の模擬、特性解析、制御への利用には大きな誤差を伴う。このため、先行発明の数学モデルは、定格速度以上の高速域での利用を想定した模擬装置、特性解析装置、制御装置への使用が困難であった。
【先行技術文献】
【特許文献】
【００２３】
【特許文献１】佐竹彰・水野滋基：「多重巻線電動機の制御装置」、特開第２００３−１５３５８５号（２００１−１１−６）
【非特許文献】
【００２４】
【非特許文献１】佐竹彰・加藤覚・今中晶：「多重巻線永久磁石モータのモデル化と非干渉制御方式」、電気学会産業応用部門大会講演論文集、Ｉ、ｐｐ．１９９−２０２（２００５）
【非特許文献２】Ｊ．Ｋａｒｔｔｕｎｅｎ，Ｓ．Ｋａｌｌｉｏ，Ｐ．Ｐｅｌｔｏｎｉｅｍｉ，Ｐ．ｓｉｌｖｅｎｔｏｉｎｅｎ，ａｎｄ  Ｏ．Ｐｙｒｈｏｎｅｎ：“Ｄｕａｌ  Ｔｈｒｅｅ−Ｐｈａｓｅ  Ｐｅｒｍａｎｅｎｔ  Ｍａｇｎｅｔ  Ｓｙｎｃｈｒｏｎｏｕｓ  Ｍａｃｈｉｎｅ  Ｓｕｐｐｌｉｅｄ  ｂｙ  Ｔｗｏ  Ｉｎｄｅｐｅｎｄｅｎｔ  Ｖｏｌｔａｇｅ  Ｓｏｕｒｃｅ  Ｉｎｖｅｒｔｅｒｓ”，Ｐｒｏｃ．ｏｆ  ２０１２  Ｉｎｔｅｒｎａｔｉｏｎａｌ  Ｓｙｍｐ．ｏｎ  Ｐｏｗｅｒ  Ｅｌｅｃｔｒｏｎｉｃｓ，Ｅｌｅｃｔｒｉｃａｌ  Ｄｒｉｖｅｓ，Ａｕｔｏｍａｔｉｏｎ  ａｎｄ  Ｍｏｔｉｏｎ（ＳＰＥＥＤＡＭ  ２０１２），ｐｐ．７４１−７４７（２０１２）
【非特許文献３】Ｓ．Ｋａｌｌｉｏ，Ｍ．Ａｎｄｒｉｏｌｌｏ，Ａ．Ｔｏｒｔｅｌｌａ，ａｎｄ  Ｊ．Ｋａｒｔｔｕｎｅｎ：“Ｄｅｃｏｕｐｌｅｄ  ｄ−ｑ  Ｍｏｄｅｌ  ｏｆ  Ｄｏｕｂｌｅ−Ｓｔａｒ  Ｉｎｔｅｒｉｏｒ−Ｐｅｒｍａｎｅｎｔ−Ｍａｇｎｅｔ  Ｓｙｎｃｈｒｏｎｏｕｓ  Ｍａｃｈｉｎｅｓ”，ＩＥＥＥ  Ｔｒａｎｓ．Ｉｎｄ．Ｅｌｅｃｔ．Ｖｏｌ．６０，Ｎｏ．６，ｐｐ．２０８６−２４９４（２０１３）
【非特許文献４】森辰也・古川晃：「二重三相ＰＭＳＭ駆動１シャント電流検出ダブルインバータにおけるトルクリップルを低減するパルスパターン」、電気学会産業応用部門大会講演論文集、ＩＩＩ、ｐｐ．１５９−１６４（２０１６）
【非特許文献５】新中新二：「１８０度空間位相差の逆二重三相巻線をもつ三相永久磁石同期モータ（二重巻線配置、動的数学モデル、ベクトルシミュレータ）」、平成２８年電気学会産業応用部門大会講演論文集、ＩＩＩ、ｐｐ．２８５−２９０（２０１６）
【非特許文献６】新中新二：「１８０度空間位相差の逆二重三相巻線をもつ三相永久磁石同期モータ（二重巻線配置、動的数学モデル、ベクトルシミュレータ）」、電気学会論文誌Ｄ、Ｖｏｌ．１３７，Ｎｏ．２，ｐｐ．７５−８６（２０１７）
【発明の概要】
【発明が解決しようとする課題】
【００２５】本発明は上記背景の下になされたものである。本発明の目的は、二重同期電動機のための数学モデルであって、低速域はもちろんのこと、定格速度以上の高速域でも、模擬、特性解析、制御への利用可能な数学モデルを提供することにある。さらには、同モデルに立脚した模擬装置、あるいは特性解析装置、あるいは制御装置を提供することにある。
【課題を解決するための手段】
【００２６】上記目的を達成するために、請求項１の発明は、永久磁石を有する回転子と２個の三相巻線（第１三相巻線と第２三相巻線）を有する固定子とからなる永久磁石同期形電動機の模擬、あるいは特性解析、あるいは制御のための数学モデルであって、永久磁石同期形電動機が発生する鉄損を等価的に模擬する等価鉄損抵抗を備え、かつ、同等価鉄損抵抗による電圧低下と永久磁石同期形電動機の固定子鎖交磁束の主成分による電圧低下とが概ね等しくなるように、同等価鉄損抵抗を備えるようにしたことを特徴とする。【００２７】請求項２の発明は、請求項１記載の永久磁石同期形電動機の模擬、あるいは特性解析、あるいは制御のための数学モデルであって、微分演算子を「ｓ」とし、該回転子の電気速度を「ωｎ」とし、該回転子永久磁石のＮ極の位相をｄ軸の位相とし、ｄ軸に対してπ／２［ｒａｄ］の位相進みにｑ軸をもつ２軸直交座標系をｄｑ同期座標系とし、該第１巻線と該第２巻線との間のｄ軸相互インダクタンスを「Ｍｄ」とし、ｑ軸相互インダクタンスを「Ｍｑ」とし、等価鉄損抵抗を「Ｒｃ」とし、ｄｑ同期座標系上における、該第１巻線の電流を「ｉ１」とし、該第２巻線の電流を「ｉ２」とし、相互インダクタスに等価的に流れ込む等価負荷電流を「ｉＭ」とし、等価鉄損抵抗に等価的に流れ込む等価鉄損電流を「ｉｃ」とし、相互インダクタスに等価的に鎖交する回転子磁束を「φＭ」とするとき、該数学モデルが、ｄｑ同期座標系上での評価において次式を満たすように、
【数５】
2019004677.tif 000007
該等価鉄損抵抗を備えることを特徴とする。【００２８】請求項３の発明は、永久磁石を有する回転子と２個の三相巻線（第１三相巻線と第２三相巻線）を有する固定子とからなる永久磁石同期形電動機のための数学モデル立脚形の模擬装置、あるいは特性解析装置、あるいは制御装置であって、立脚の該数学モデルに、永久磁石同期形電動機の発生する鉄損を等価的に模擬する等価鉄損抵抗を備えさせ、かつ、同等価鉄損抵抗による電圧低下と永久磁石同期形電動機の固定子鎖交磁束の主成分による電圧低下とが概ね等しくなるように、同等価鉄損抵抗を備えさせるようにしたことを特徴とする。
【発明の効果】
【００２９】本発明の効果を説明する。磁気回路の損失である鉄損は、磁気回路に流れる磁束の二乗に比例することが知られている。また、鉄損を構成する支配的損失は、渦電流損とヒステリシス損であることも、当業者には周知である。渦電流損、ヒステリシス損は、電圧、電流の周波数の二乗、絶対値に各々比例することが知られている。電圧、電流の周波数は、二重同期電動機にあっては、電気速度ωｎと同一である。電動機の模擬、あるいは特性解析、あるいは制御のための数学モデルに対しては、これら利用に供しうる程度のコンパクト性が要求される。コンパクト性を確保すべく、電動機の数学モデルでは、磁気回路上の損失である鉄損を、電気回路上の損失として等価的にモデル化することになる。損失を発生しうる電気回路素子は、抵抗である。電動機の数学モデルでは、等価鉄損抵抗を導入し、等価鉄損抵抗による損失として鉄損を表現することになる。等価鉄損抵抗による損失は、鉄損の元来の特性「二乗磁束に比例」、「二乗周波数あるいは絶対周波数に比例」を表現しうるものが最良である。【００３０】請求項１の発明に従えば、数学モデルは、二重同期電動機が発生する鉄損を等価的に模擬する等価鉄損抵抗を備え、かつ、同等価鉄損抵抗による電圧低下と二重同期電動機の固定子鎖交磁束の主成分による電圧低下とが概ね等しくなるように、同等価鉄損抵抗を備えることになる。請求項１の発明による等価鉄損抵抗による損失は、鉄損の元来の特性「二乗磁束に比例」、「二乗周波数あるいは絶対周波数に比例」を表現することができる。この詳細は、第１実施例の説明の際に、数式を用いて立証する（後掲の図６、（１２）式〜（１４）式を用いた説明を参照）。ひいては、請求項１の発明によれば、低速から定格速度を超える広い速度領域において、二重同期電動機の模擬、あるいは特性解析、あるいは制御に供しうる数学モデルを提供できるようになると言う効果が得られる。【００３１】つづいて、請求項２の発明の効果を説明する。請求項１の発明による数学モデルは、ｄｑ同期座標系、αβ固定座標系、γδ一般座標系のいずれの座標系の上でも構築可能である。しかしながら、構築の難易度は同一ではない。３座標系の中ではｄｑ同期座標系上での構築がもっとも平易である。ひいては、請求項２の発明によれば、二重同期電動機の模擬、あるいは特性解析、あるいは制御に供しうる数学モデルを最も簡単に構築できると言う効果が得られる。この結果、請求項２の発明によれば、請求項１の発明の効果を高めることができると言う効果も得られる。【００３２】つづいて、請求項３の発明の効果を説明する。請求項３の発明は、請求項１の発明による数学モデルに立脚した模擬装置、あるいは特性解析装置、あるいは制御装置の構築を可能とするものである。この結果、請求項３の発明によれば、請求項１の発明の効果を、当該の模擬装置、あるいは特性解析装置、あるいは制御装置に反映さすことができると言う効果を得ることができる。すなわち、請求項３の発明によれば、低速から定格速度を超える広い速度領域において適用可能な、二重同期電動機のための模擬装置、あるいは特性解析装置、あるいは制御装置を構築できると言う効果を得ることができる。
【図面の簡単な説明】
【００３３】
【図１】  「二重三相巻線永久磁石同期形電動機の巻線配置例（三相単純同期電動機）を示す図」
【図２】  「二重三相巻線永久磁石同期形電動機の巻線配置例（六相同期電動機）を示す図」
【図３】  「二重三相巻線永久磁石同期形電動機の巻線配置例（三相逆同期電動機）を示す図」
【図４】  「３種の２軸直交座標系の関係を示す図」
【図５】  「二重三相巻線永久磁石同期形電動機のための等価鉄損抵抗を備えた仮想ベクトル回路の例を示す図」
【図６】  「等価鉄損抵抗の細部構成例を示す図」
【図７】  「本発明によるｄｑ同期座標系上の模擬装置あるいは特性解析装置の構成例を示す図」
【図８】  「本発明によるｄｑ同期座標系上の模擬装置あるいは特性解析装置の構成例を示す図」
【図９】  「本発明によるｄｑ同期座標系上の制御装置を用いた駆動システムの構成例を示す図」
【図１０】  「二重三相巻線永久磁石同期形電動機の先行発明の仮想ベクトル回路の例を示す図」
【発明を実施するための形態】
【００３４】以下、図面を用いて、本発明の好適な実施態様を具体的に説明する。
【実施例１】
【００３５】二重同期電動機に対して請求項１〜２の発明を用いた二重同期電動機のための数学モデルを以下に示す。数学モデルの簡明な表現を図るべく、２×２漏れインダクタンス行列ｌ１、ｌ２を次式のように定義する。
【数６】
2019004677.tif 000008
（６）式における２×２インダクタンス行列Ｌ１、Ｌ２、Ｍの定義は、（４）式の通りである。【００３６】請求項１の発明に従うならば、すなわち「鉄損を等価的に模擬する等価鉄損抵抗を備える」、「等価鉄損抵抗による電圧低下と永久磁石同期形電動機の固定子鎖交磁束の主成分による電圧低下とが概ね等しくなるように、同等価鉄損抵抗を備える」に従うならば、次の２点を構築できる。
（ａ）磁気回路での損失である鉄損は、漏れインダクタンス行列ｌ１、ｌ２関連の磁束に起因した鉄損は無視でき、相互インダクタンス行列Ｍ関連の磁束と回転子磁束とによる鉄損が支配的である。
（ｂ）固定子電流は、固定子鉄損を担う等価鉄損電流ｉｃと主要な磁束およびトルク発生に寄与する等価負荷電流ｉＭとに、等価的に分離できる。
上記の２点（ａ）、（ｂ）をｄｑ同期座標系上で考慮すると、図５のｄｑ同期座標系上の仮想ベクトル回路を得ることができる。図５における２×１ベクトル信号は、すべてｄｑ同期座標系上で定義されている。また、図５における他の信号、記号の意味は、すでに説明した通りである。【００３７】図５より、ｄｑ同期座標系上の数学モデル（特に回路方程式（第１基本式））として、次式を構築することができる。
【数７】
2019004677.tif 000009
上の（７）式すなわち回路方程式（第１基本式）を構成する（７ｃ）、（７ｄ）式は、請求項２の発明による（５ａ）、（５ｂ）式と完全同一である。（７ｃ）式で用いた２×２行列Ｄの定義は、すでに（１ｄ）式として与えられている。また、（７）式に用いた信号、行列、ベクトルの定義はすでに与えたとおりである。【００３８】請求項１、２の発明によれば、（７）式の回路方程式と整合すべき、ｄｑ同期座標系上のトルク発生式（第２基本式）としては、次式が構築される。
【数８】
2019004677.tif 000010
【００３９】（８）式に新規出現したスカラ信号、２×２行列は、以下のように定義されている。
【数９】
2019004677.tif 000011
【００４０】また、請求項１、２の発明によれば、（７）式の回路方程式（第１基本式）と（８）式のトルク発生式（第２基本式）とに整合すべき、ｄｑ同期座標系上のエネルギー伝達式（第３基本式）としては、次式が構築される。
【数１０】
2019004677.tif 000012
【００４１】数学モデルを構成する３基本式（回路方程式・（７）式、トルク発生式・（８）式、エネルギー伝達式・（１０）式）の整合性は、以下の手順に従い、数学的に厳密に証明することができる。（１０）式の左辺である瞬時入力電力を、第１基本式である（７）式を用いて、処理・算出・する。処理の段階で、第２基本式であるである（８）式を利用して、機械的出力をトルクを用いて算定する。これにより、第３基本式である（１０）式が導出できる。３基本式の数学的な整合性は、３基本式（回路方程式・（７）式、トルク発生式・（８）式、エネルギー伝達式・（１０）式）は、すべて、請求項１、２の発明に従ったものであることを数学的に明示している。【００４２】（１０）式すなわちエネルギー伝達式（第３基本式）は、以下を意味している。右辺第１項は、第１、第２巻線による銅損を、第２項は等価鉄損抵抗による鉄損を、第３項は第１巻漏れインダクタンス、第２巻線漏れインダクタンス、第１、第２巻線間の相互インダクタンスに蓄積された全磁気エネルギーの微分値を、第４項は回転軸から出力される機械的電力（単位はワット、軸から出力される機械エネルギーの瞬時値）を示している。（１０）式右辺には、疑義をもたせるような意味不明な項は一切ない。すなわち、先行発明の数学モデルでは考慮されていなかった鉄損が、請求項１、２の発明による数学モデルには、疑義のない形で取り込まれている。また、（８）式すなわちトルク発生式（第２基本式）は、先行発明のトルク発生式である（２ａ）式との比較より明白なように、鉄損の存在により、等価鉄損電流相当分の発生トルク低減が起きることを明示している。【００４３】なお、（９ｂ）式における相互インダクタスに等価的に鎖交する回転子磁束ΦＭの一応の選定目安は、次の通りである。
【数１１】
2019004677.tif 000013
【００４４】鉄損を構成する支配的損失は、渦電流損とヒステリシス損である。本発明による数学モデルは、渦電流損とヒステリシス損を適切に表現できることを以下に示す。先ず、若干の準備をしておく。鉄損を発生する相互インダクタンス行列Ｍに関連した磁束と回転子磁束は、（７ｃ）式に示している通りである。本磁束のノルムが一定の場合には、すなわち次の（１２ａ）式が成立する場合には、（１２ｂ）式が成立する。
【数１２】
2019004677.tif 000014
また、等価鉄損抵抗を次式に示すように２種の抵抗でより詳細に表現するものとする。
【数１３】
2019004677.tif 000015
上式は、図６が示すように、等価鉄損抵抗Ｒｃを２種の等価鉄損抵抗の並列配置による構成を意味している。また上式右辺第２項に対応する等価鉄損抵抗は、周波数比例特性を有する抵抗を意味している。【００４５】以上の準備の下に、損失表現の詳細評価に入る。（１０）式の右辺第２項として示された等価鉄損抵抗による損失は、（１２ａ）式、（１３）式を用いると、次のように評価される。
【数１４】
2019004677.tif 000016
（１４）式の右辺第１項は渦電流損を、第２項はヒステリシス損を示すものとなっている。すなわち、右辺第１項は、「二乗磁束に比例」、「二乗周波数（二乗速度と同一）に比例」の渦電流損特性を的確に表現している。一方、右辺第２項は、「二乗磁束に比例」、「絶対周波数（絶対速度と同一）に比例」のヒステリシス特性を的確に表現している。以上のように、請求項１、２の本発明による数学モデルは、渦電流損とヒステリシス損を適切に表現できる。
【実施例２】
【００４６】第１、第２巻線が、巻線に起因したパラメータが等しくなるように巻かれる場合には、本発明によるｄｑ同期座標系上の数学モデルの１つは、（７）、（８）、（９）、（１１）式より、ただちに次の（１５）〜（１７）式ように構築される（順次、回路方程式（第１基本式）・（１５）式、トルク発生式（第２基本式）・（１６）式、エネルギー伝達式（第３基本式）・（１７）式）。
【数１５】
2019004677.tif 000017
【数１６】
2019004677.tif 000018
【数１７】
2019004677.tif 000019
【実施例３】
【００４７】数学モデルの構築は、３座標系の中ではｄｑ同期座標系上での構築がもっとも平易である。一方で、数学モデルの構築は、３座標系の中ではγδ一般座標系上での構築がもっとも汎用性に富む。汎用性を考慮し、γδ一般座標系上の数学モデルを、請求項１の発明の第３実施形態例として、以下に与える（順次、回路方程式（第１基本式）・（１８）式、トルク発生式（第２基本式）・（１９）式、エネルギー伝達式（第３基本式）・（２０）式）。
【数１８】
2019004677.tif 000020
2019004677.tif 000021
【数１９】
2019004677.tif 000022
【数２０】
2019004677.tif 000023
【００４８】（１８）式における２×１ベクトルとしての物理量（電圧、電流、磁束）は、すべてγδ一般座標系上で定義されている。特に、磁束は、位相θγを用いて以下のように定義されている。
【数２１】
2019004677.tif 000024
γδ一般座標系の数学モデルに対して、ｄｑ同期座標系の条件（θγ＝０、ωγ＝ωｎ）を適用すると、同モデルはｄｑ同期座標系上の数学モデルに帰着する（図４参照）。また、γδ一般座標系の数学モデルに対して、αβ固定座標系の条件（θγ＝θα、ωγ＝０）を適用すると、同モデルはαβ固定座標系上の数学モデルとなる（図４参照）。
【実施例４】
【００４９】請求項３の発明に基づく実施形態の１例を次に示す。第１、第２巻線が、巻線に起因したパラメータが等しくなるように巻かれる場合には、請求項１、請求項２の発明により、二重同期電動機のｄｑ同期座標系上の数学モデルの１つ（３基本式）は（１５）〜（１７）式で構築された。このときの回路方程式（第１基本式）である（１５）式は、以下のように改めることができる。
【数２２】
2019004677.tif 000025
請求項３の発明に（２２）式と（１６）式を適用すると、二重同期電動機のためのｄｑ同期座標系上の模擬装置あるいは特性解析装置として、図７を得る。図７の模擬装置あるいは特性解析装置においては、発生トルクは最後段ブロックで発生されている。本ブロックには、（１６）式が実現されている。図６の模擬装置あるいは特性解析装置によれば、印加された第１、第２巻線の固定子電圧ｖ１、ｖ２に対し、第１、第２巻線の固定子電流ｉ１、ｉ２、等価負荷電流ｉＭ、等価鉄損電流ｉｃ、さらにはこれら電流と関係した各種磁束の瞬時値を模擬・解析できる。また、発生トルクの瞬時値も模擬・解析できる。さらには、模擬・解析されたこれの物理量を（１７）式に適用すると、銅損、鉄損、磁気エネルギー、機械的電力の瞬時値を模擬・解析できる。
【実施例５】
【００５０】請求項３の発明に基づく他の実施形態例を次に示す。第１、第２巻線が、巻線に起因したパラメータが等しくなるように巻かれる場合には、請求項１、請求項２の発明により、二重同期電動機のｄｑ同期座標系上の数学モデルの１つ（３基本式）は（１５）〜（１７）式で構築された。このときの回路方程式（第１基本式）である（１５）式は、以下のように改めることができる。
【数２３】
2019004677.tif 000026
（２３）式に用いた２×２インダクタンス行列に関しては、次の関係が成立している。
【数２４】
2019004677.tif 000027
【００５１】請求項３の発明に（２３）式、（２４）式、（１６）式を適用すると、二重同期電動機のためのｄｑ同期座標系上の模擬装置あるいは特性解析装置として、図８を得る。図８の模擬装置あるいは特性解析装置においては、第１、第２巻線の固定子電流は、中段のブロックで発生されている。本ブロックには、（２４）式が実現されている。一方、発生トルクは最後段ブロックで発生されている。本ブロックには、（１５ｄ）式の関係を利用した（１６）式が実現されている。図６の模擬装置あるいは特性解析装置によれば、印加された第１、第２巻線の固定子電圧ｖ１、ｖ２に対し、第１、第２巻線の固定子電流ｉ１、ｉ２、等価負荷電流ｉＭ、等価鉄損電流ｉｃ、さらにはこれら電流と関係した各種磁束の瞬時値を模擬・解析できる。また、発生トルクの瞬時値も模擬・解析できる。さらには、模擬・解析されたこれの物理量を（１７）式に適用すると、銅損、鉄損、磁気エネルギー、機械的電力の瞬時値を模擬・解析できる。
【実施例６】
【００５２】図７、図８を用いた実施形態例は、模擬装置あるいは特性解析装置を、ｄｑ同期座標系上の数学モデル（（１５）〜（１７）式）を利用して、ｄｑ同期座標系上で実現したものである。さらには、第１、第２巻線が、巻線に起因したパラメータが等しくなるように巻かれることを前提としたものである。これに代わって、γδ一般座標系上の数学モデル（（１８）〜（２０）式）を利用するならば、模擬装置あるいは特性解析装置を、γδ一般座標系（ｄｑ同期座標系、αβ固定座標系を包含）上で実現できることを指摘しておく。また、「第１、第２巻線が、巻線に起因したパラメータが等しくなるように巻かれる」との制約を撤去できることも指摘しておく。γδ一般座標系上の模擬装置あるいは特性解析装置は、図７、図８に示した模擬装置あるいは特性解析装置に対して、単純な置換処理で構成することができるので、これ以上の説明は省略する。また、請求項３の発明による模擬装置あるいは特性解析装置は、上記の実施形態例、実現例に限定されるものでないことを、指摘しておく。
【実施例７】
【００５３】請求項３の発明に基づく制御装置の実施形態の１例を示す。二重同期電動機として、三相単純同期電動機、三相逆同期電動機を選定し、請求項３の発明に基づく制御装置を利用した駆動システムの１例を図９に示した。図９は、制御装置を含む駆動システムの全体を描画している。駆動システムは大きくは、二重同期電動機（回転子、固定子を含む）１、電力変換装置２（破線ブロック表示）、制御装置３（破線ブロック表示）から構成されている。電力変換装置は、第１、第２巻線用の電力変換器２１、電流検出器２２から構成されている。制御装置３は、大きくは、指令変換器３１と、第１、第２巻線用の電流制御部３２（破線ブロック表示）から構成されている。電流制御部３２では、第１、第２の２巻線の電流制御が独立的に遂行できるように、各巻線に対応する形で、３相２相変換器３２１ａ、２相３相変換器３２１ｂ、ベクトル回転器３２２ａ、３２２ｂ、電流制御器３２３を、個別に所有している。単一の回転子に対応して、回転子のための位相検出器（レゾルバ、エンコーダ等）３２４、速度検出器３２５は、共有されている。なお、同図では、簡明のため、複数のスカラ信号を１つのベクトル信号として捉え、複数のスカラ信号線を１本の太い信号線で表現している。三相二相変換器、二相三相変換器から左側に存在する二相信号（すなわち、２×１ベクトル信号）は、１本の太い信号線で表現している。なお、ベクトル信号の脚符ｒ、ｓは、ｄｑ同期座標系上の信号、αβ固定座標系の信号であることを示している。本発明の核心は、指令変換器にある。本器を除く諸機器は基本的に先行発明のものと同様であるので、これ諸機器の説明は省略する。次に、本発明の核心である指令変換器について説明する。【００５４】指令変換器３１は、トルク指令値τ＊から第１巻線用の電流指令値ｉ１＊、第２巻線用の電流指令値ｉ２＊を生成する役割を担っている。例えば、（８）式のトルク発生式が示すように、同一のトルクを発生する第１、第２巻線の固定子電流は無数に存在する。無数に存在する固定子電流の中で重要な電流が、トルク発生式に対応したエネルギー伝達式に含まれる銅損と鉄損の総和（総合損失）を最小化する電流である。（８）式のトルク発生式には、（１０）式のエネルギー伝達式が対応する。（１０）式では、右辺第１項が銅損、第２項が鉄損を示している。指令変換器３１は、数学モデルを構成するトルク発生式（第２基本式）、エネルギー伝達式（第３基本式）を中核に、必要に応じて回路方程式（第１基本式）の関係をも利用して、トルク指令値から銅損と鉄損の総和（総合損失）を最小化する電流指令値を生成する。当然のことながら、指令変換器３１の実現には、請求項１、請求項２の発明に基づくような鉄損を考慮した数学モデルが使用される。すなわち、ｄｑ同期座標系上の鉄損を考慮した数学モデルに基づき構成される。
【実施例８】
【００５５】図９の駆動システム構成は、二重同期電動機として、三相単純同期電動機、三相逆同期電動機を対象としたものである。二重同期電動機として六相同期電動機を対象とする場合には、第１巻線、第２巻線のベクトル回転器へ受け渡す回転子位相に、第１巻線と第２巻線の位相差と同一の位相差をもたせればよい。これは、当業者には明らかであるので、これ以上の説明は省略する。本発明の核心である指令変換器に関しては、二重同期電動機として六相同期電動機を対象とする場合にも、何らの変更はない。
【産業上の利用可能性】
【００５６】本発明は、バッテリ電気自動車、燃料電池電気自動車、ハイブリッド電気自動車の主駆動電動機、家電用高速電動機などに代表される広範囲（低速から定格速度を超える高速）にわたり効率駆動を要求される用途での二重同期電動機の模擬、特性解析、制御に好適である。加えて、二重同期電動機の模擬装置、特性解析装置、制御装置に好適である。
【符号の説明】
【００５７】１        二重同期電動機
１１      二重同期電動機の回転子
１２１    二重同期電動機の固定子の第１巻線
１２２    二重同期電動機の固定子の第２巻線
２        電力変換装置
２１      電力変換器
２２      電流検出器
３        制御装置
３１      指令変換器
３２      電流制御部
３２１ａ  三相二相変換器
３２１ｂ  二相三相変換器
３２２ａ  ベクトル回転器
３２２ｂ  ベクトル回転器
３２３    電流制御器
３２４    位相検出器
３２５    速度検出器
【図１】
2019004677.tif 000029
【図２】
2019004677.tif 000030
【図３】
2019004677.tif 000031
【図４】
2019004677.tif 000032
【図５】
2019004677.tif 000033
【図６】
2019004677.tif 000034
【図７】
2019004677.tif 000035
【図８】
2019004677.tif 000036
【図９】
2019004677.tif 000037
【図１０】
2019004677.tif 000038